(57)【特許請求の範囲】
【請求項１】
りん木又は桟木が下部に敷設され、略長方形の板状のダンボールからなる建材の梱包材であって、その周囲４側面のうち、少なくとも１面の表面に、前記敷設されるりん木又は桟木との当接位置を視認可能な１対のりん木又は桟木用印を、その１対のりん木又は桟木用印の間に、前記建材が梱包された状態の真の重心が位置するように付し、前記りん木又は桟木が敷設された部分に集中荷重が加わって損傷することのないようにしたことを特徴とする建材の梱包材。
【請求項２】
りん木又は桟木が下部に敷設され、略長方形の板状のダンボールからなる建材の梱包材であって、その周囲４側面のうち、少なくとも１面の表面に、前記敷設されるりん木又は桟木との当接位置を視認可能な１対のりん木又は桟木用印を、前記建材が梱包された状態の真の重心が、その１対のりん木又は桟木用印の略中心に一致するように付し、前記りん木又は桟木が敷設された部分に集中荷重が加わって損傷することのないようにしたことを特徴とする建材の梱包材。
【発明の詳細な説明】
【０００１】
【発明の属する技術分野】
本発明は、フォークリフトで持ち上げられたり、さらにりん木又は桟木を介して上下方向に積み重ねられたりする建材の梱包材に関するものである。
【０００２】
【従来の技術】
従来、住宅等に使用される建材は、住宅等に取付けられる迄は、保管・搬送容易に、１単位当たりの数量は異なるが、通常ダンボール等によって梱包されている。このような梱包された建材は、一般に保管や運搬の際の積み降ろしにフォークリフトが使用され、そのフォークの抜き差しが容易に、梱包された建材の下には一般にりん木又は桟木が敷かれている。
そのりん木又は桟木の敷設は、自動的に行われる場合もあるが、多くは手作業によって行われている。
【０００３】
なお、「りん木」も「桟木」も物を積み上げる際に上下の物の間に噛ませる角材であって、一般には、「りん木」は約１０センチ角、「桟木」はやや細目の板状材を指すが、両者の間には厳密な区別はないようである。
【０００４】
【発明が解決しようとする課題】
しかしながら、上記手作業やフォークによるりん木又は桟木の敷設や建材の積み降ろし時のフォークの差し込みには次のよう問題点がある。すなわち、
【０００５】
図６及び図７に示すように、りん木又は桟木２の敷設位置にずれを生じ易い。特にフォークによる敷設は、フォークリフトを移動させながらの作業となるため、視界が狭く、勘と経験とに依存し、ずれを生じ易い。
【０００６】
りん木又は桟木２の位置が、図６に示すように上下段でずれると、建材１０１に矢印で示すように曲げモーメントが作用し、永久曲げや折損を生じることがある。
【０００７】
また図７に示すよう、積層された建材１１１の下段から上段に向かって、りん木又は桟木２が僅かずつ、ある方向にずれても、ずれが累積し、重心Ｇが一方に偏り、不安定となるので、全体として大きく傾き、倒れ易くなり、僅かな揺れによって倒壊することがある。
【０００８】
また、梱包された建材１１１の真の重心Ｇが、場合によっては幾何学的な中心とは、ずれていることがある。その場合、幾何学的中心に基づいて建材１１１が積載されたり、積み降ろしされたりすると、バランスを失って、倒れやすくなったり、落下・倒壊したりするおそれがある。特に構造上フォークの間隔が広く取れない場合上記おそれが多い。
【０００９】
また図８に示すように、例えばドアのように、蝶番や化粧用の面縁等の凸部Ｐや空間Ｈがあって、構造・形状的にりん木又は桟木２やフォークとの当接を避けなければならないものがある。もし過ってそれに当接し、その部分に集中荷重が加わると、損傷したり、積層された建材１２１が傾いてバランスを失い、倒壊したりすることがある。
【００１０】
そこで本発明の目的とするところは、上記従来例の欠点を解消した、りん木又は桟木との当接位置との当接位置が容易に目視出来る目印が付された、建材の梱包材を提供することにある。
【００１１】
【課題を解決するための手段】
上記の目的を達するために、請求項１の発明の建材の梱包材は、りん木又は桟木（２）が下部に敷設され、略長方形の板状のダンボールからなる建材の梱包材（１，１１）であって、その周囲４側面のうち、少なくとも１面の表面に、前記敷設されるりん木又は桟木（２）との当接位置を視認可能な１対のりん木又は桟木用印（Ｍ１，Ｍ１）を、その１対のりん木又は桟木用印（Ｍ１，Ｍ１）の間に、前記建材が梱包された状態の真の重心（Ｇ）が位置するように付し、前記りん木又は桟木（２）が敷設された部分に集中荷重が加わって損傷することのないようにしたことを特徴とする。
【００１２】
また請求項２の発明の建材の梱包材は、りん木又は桟木（２）が下部に敷設され、略長方形の板状のダンボールからなる建材の梱包材（１，１１）であって、その周囲４側面のうち、少なくとも１面の表面に、前記敷設されるりん木又は桟木（２）との当接位置を視認可能な１対のりん木又は桟木用印（Ｍ１，Ｍ１）を、前記建材が梱包された状態の真の重心（Ｇ）が、その１対のりん木又は桟木用印（Ｍ１，Ｍ１）の略中心に一致するように付し、前記りん木又は桟木（２）が敷設された部分に集中荷重が加わって損傷することのないようにしたことを特徴とする。
【００１３】
なお、括弧内の記号は図面および後述する発明の実施の形態に記載された対応要素または対応事項を示す。
【００１４】
請求項１の発明によれば、手作業はもちろん、それに比較して視野が狭く、操作の困難なフォークによる場合でも、容易に視認可能なりん木又は桟木用印がダンボールからなる梱包材の表面に付されているため、勘や経験に依存していた従来に比べて、りん木又は桟木が極めて正確に敷設される。
【００１５】
従って、りん木又は桟木の位置が上下段でずれることがなく、建材に作用する曲げモーメントが小さくなるため、永久曲げや折損を生じることはない。また、積層された建材は、安定性に優れ、傾くこともなく、僅かな揺れによって倒壊することもない。
【００１６】
梱包された建材の真の重心が、場合によっては幾何学的な重心とは、ずれているものに対しては、前記真の重心が、１対のりん木又は桟木の間、好ましくは請求項２の発明のように、中心とに略一致するよう、りん木又は桟木用印が付されているので、りん木又は桟木の敷設により積層された建材が倒れやすくなったり、落下・倒壊したりするおそれはない。
【００１７】
例えばドアのように、蝶番や化粧用の面縁等の凹凸があって、構造・形状的にりん木又は桟木との当接を避けなければならないものに対して、付されたりん木又は桟木用印によってそれが容易に避けられ、それに基づいてりん木又は桟木が敷設されれば、その部分に集中荷重が加わって損傷したり、積層された建材が傾いてバランスを失い、倒壊したりするおそれはない。
【００１８】
【発明の実施の形態】
本発明の第１の実施の形態例として、図面を参照して説明すると、図１はその斜視図、図２は別の斜視図、図３は梱包された建材が積層された状態を示す正面図である。
【００１９】
本発明が適用されるりん木又は桟木２が下部に敷設される建材の梱包材１，１１について説明すると、ダンボール等よりなり、外形は、略長方形の板状であり、１単位当たりの数量は異なるが、同一形状・寸法の建材が収納されている。
【００２０】
しかも、その周囲４面（側面）のうち、少なくとも１面、好ましくは相対する２面（表面側及び裏面側、又は左側面側及び右側面側）には、それぞれりん木又は桟木２の敷設時に、そのりん木又は桟木２との当接位置を側面から容易に視認可能に、りん木又は桟木用印Ｍ１が付されている。
【００２１】
りん木又は桟木用印Ｍ１は、それが付される面毎に最少１対（２箇所）は必要であり、しかも、建材が梱包された状態の真の重心Ｇが、その１対の間に位置するか、さらに好ましくはその１対の略中心に一致するよう付されている。また、１つの面の印Ｍ１の数は、上記１対に限定されるものではなく、左右の長さが大きいものについては、図２に示すように、２対（４箇所）、１対とその中心を示す３個所（中心にもりん木又は桟木を配置、図示省略）付されることもある。
【００２２】
各りん木又は桟木用印Ｍ１の形状・寸法は、例えば、図に示すように、側方から容易に視認可能に正面に、相対するよう上下２箇所、しかもりん木又は桟木２の幅に略等しく付されており、さらにその面の上下に隣り合う面にも折り曲げられ、延長されている。しかも、前記正面（表面）とは相対する裏面にも同様に付されている。しかしながら、この形状・寸法は、単なる一例であって、これに限定されるものではない。
【００２３】
このように構成された建材の梱包材１，１１によれば、手作業はもちろん、それに比較して視野が狭く、操作の困難なフォークリフトによる場合でも、側方から容易に視認可能なりん木又は桟木用印Ｍ１が梱包材１，１１の表面に付されているため、勘や経験に依存していた従来に比べて、りん木又は桟木２が極めて正確に敷設される。
【００２４】
従って、図３に示すように、異なった長さの建材でも、りん木又は桟木２の位置が上下段でずれることがなく、建材に作用する曲げモーメントが小さくなるため、永久曲げや折損を生じることはない。また、積層された建材が安定性に優れ、傾くこともなく、僅かな揺れによって倒壊することもない。
【００２５】
図に示すように、梱包された建材の真の重心Ｇが、場合によっては幾何学的な中心とはずれているものに対して、前記真の重心Ｇと、りん木又は桟木２の中心とが略一致するようりん木又は桟木用印Ｍ１が付されており、且つ、それに基づいてりん木又は桟木２が敷設されれば、積層された建材が倒れやすくなったり、落下・倒壊したりするおそれはない。
【００２６】
また、図に示すように、例えばドアのように、蝶番や化粧用の面縁等の凹凸Ｐや空間Ｈがあって、構造・形状的にりん木又は桟木２やフォークとの当接を避けなければならないものに対して、付されたりん木又は桟木用印Ｍ１によってそれが容易に避けられ、それに基づいてりん木又は桟木２が敷設されれば、その部分に集中荷重が加わって損傷したり、積層された建材が傾いてバランスを失い、倒壊したりするおそれはない。
【００２７】
第２の実施の形態例について説明する。図４及び図５に示すように、第１の実施の形態例同様に梱包材２１，３１にはりん木又は桟木用印Ｍ１が付されているが、そのうえ、フォークリフトのフォーク差し込み時に、そのフォークとの当接位置を側方から容易に視認可能に、梱包材２１，３１の表面にフォーク用印Ｍ２が付されている。
【００２８】
フォーク用印Ｍ２は、それが付される面毎に１対、しかも、建材が梱包された状態の真の重心Ｇが、その１対の間に位置するか、さらに好ましくは１対印Ｍ２の略中心に一致するよう付されている。
【００２９】
各フォーク用印Ｍ２の形状・寸法は、りん木又は桟木用印Ｍ１と同様に、側方から容易に視認可能に正面に、しかし、それとは容易に識別可能なものでなければならない。例えば、図に示すように、間隔がフォークの幅に略等しい鉛直２本の直線であって、さらにその面の上下に隣り合う面にも折り曲げられ、延長されている。しかも、前記正面（表面）とは相対する裏面にも同様に付されている。しかしながら、この形状・寸法は、単なる一例であって、これに限定されるものではない。
【００３０】
これによれば、第１の実施の形態例の作用効果に加えて、側方から容易に視認可能なフォーク用印Ｍ２が梱包材２１，３１の表面に付されているため、勘や経験に依存していた従来に比べて、フォークが正確に差し込まれる。
【００３１】
さらに、梱包された建材の真の重心Ｇが、場合によっては幾何学的な中心とはずれていることがあっても、前記真の重心Ｇが１対のフォークの間に位置するか、好ましくは、建材の真の重心Ｇと、フォークの中心とが略一致するようフォーク用印Ｍ２が付されており、且つ、それに基づいてフォークが差し込まれれば、建材が傾いたり、落下したりするおそれはない。特に、構造上フォークの間隔が広く取れない場合に有効である。
【００３２】
例えばドアのように、蝶番や化粧用の面縁等の凹凸Ｐや空間Ｈがあって、構造・形状的にフォークとの当接を避けなければならないものに対しても、付されたフォーク用印Ｍ２によってそれが容易に避けられることが可能であり、それに基づいてフォークが差し込まれれば、その部分に集中荷重が加わって損傷したり、建材が傾いてバランスを失ったりするおそれはない。
【００３３】
【発明の効果】
請求項１の発明によれば、手作業はもちろん、それに比較して視野が狭く、操作の困難なフォークによる場合でも、容易に視認可能なりん木又は桟木用印がダンボールからなる梱包材の表面に付されているため、勘や経験に依存していた従来に比べて、りん木又は桟木が極めて正確に敷設される。
【００３４】
従って、りん木又は桟木の位置が上下段でずれることがなく、建材に作用する曲げモーメントが小さくなるため、永久曲げや折損を生じることはない。また、積層された建材は、安定性に優れ、傾くこともなく、僅かな揺れによって倒壊することもない。
【００３５】
梱包された建材の真の重心が、場合によっては幾何学的な重心とは、ずれているものに対しては、前記真の重心が、１対のりん木又は桟木の間、好ましくは請求項２の発明のように、中心とに略一致するよう、りん木又は桟木用印が付されているので、りん木又は桟木の敷設により積層された建材が倒れやすくなったり、落下・倒壊したりするおそれはない。
【００３６】
例えばドアのように、蝶番や化粧用の面縁等の凹凸があって、構造・形状的にりん木又は桟木との当接を避けなければならないものに対して、付されたりん木又は桟木用印によってそれが容易に避けられ、それに基づいてりん木又は桟木が敷設されれば、その部分に集中荷重が加わって損傷したり、積層された建材が傾いてバランスを失い、倒壊したりするおそれはない。
【図面の簡単な説明】
【図１】本発明の第１の実施の形態例の斜視図である。
【図２】本発明の第１の実施の形態例の別の実施態様を示す斜視図である。
【図３】本発明の第１の実施の形態例の積層された状態を示す正面図である。
【図４】本発明の第２の実施の形態例の斜視図である。
【図５】本発明の第２の実施の形態例の積層された状態を示す正面図である。
【図６】従来例を示す正面図である。
【図７】他の従来例を示す正面図である。
【図８】３番目の従来例を示す正面図である。
【符号の説明】
１  梱包材
２  りん木又は桟木
１１  梱包材
２１  梱包材
３１  梱包材
１０１  建材
１１１  建材
１２１  建材
Ｇ  真の重心
Ｈ  空間
Ｍ１  りん木又は桟木用印
Ｍ２  フォーク用印
Ｐ  凹凸
【図１】
0003614354.tif 000002
【図２】
0003614354.tif 000003
【図３】
0003614354.tif 000004
【図４】
0003614354.tif 000005
【図５】
0003614354.tif 000006
【図６】
0003614354.tif 000007
【図７】
0003614354.tif 000008
【図８】
0003614354.tif 000009